(57)【特許請求の範囲】
【請求項１】
肌当接面側に配置される液透過性の表面シートと、非肌当接面側に配置される防水性の裏面シートと、該両シート間に介在された吸収体とを有する吸収本体部を備えた吸収性物品であって、
該吸収性物品は、腹側部と背側部とを股下部を介して結ぶ方向の縦方向とこれに交差する幅方向とを有し、前記吸収体部分を外側着用物品の内側面上に載置して使用されるものであり、
前記吸収本体部の両側には、物品幅方向外方に張り出した前記裏面シート側に折り返し可能な張り出し部があり、該張り出し部は、２層の難液透過性のシートの間に、液体と接すると変色するインジケータ部が配置された構成となされており、
前記張り出し部を構成する部材が吸収本体部の側方に入り込んだ入り込み部を備え、該入り込み部と前記吸収本体部とが接合部で固定されており、該接合部は水易溶解性領域と水難溶解性領域とから構成され、前記水易溶解性領域が水分透過可能領域となっており、該水分透過可能領域は液を前記インジケータ部へと誘導可能とされている吸収性物品。
【請求項２】
前記水分透過可能領域は、前記入り込み部の内方端付近に配設されている請求項１記載の吸収性物品。
【請求項３】
前記張り出し部におけるインジケータ部が存在する部分には液拡散性シートが配されている請求項１又は２に記載の吸収性物品。
【請求項４】
前記張り出し部において、複数条の前記インジケータ部がこれと対応する複数条の前記液拡散性シートと接触するようにして配置されて標識領域を構成し、該標識領域以外の張り出し部の部分は、前記標識領域よりも液拡散性が低くされている、請求項３記載の吸収性物品。
【請求項５】
前記液拡散性シートは前記入り込み部まで延在している請求項３又は４に記載の吸収性物品。
【請求項６】
前記吸収性物品が外側着用物品の内側に配置されて使用され得るものであって、前記張出し部を着用者大腿部側へ折り返して外部視認容易に着用する請求項１〜５のいずれか１項に記載の吸収性物品。
【発明の詳細な説明】
【技術分野】
【０００１】
本発明は幅方向の両側に張出し部を有する吸収性物品に関する。
【背景技術】
【０００２】
おむつなどの吸収性物品において、吸収体に排尿等が吸収保持されたことを視覚的に保護者や介護者等に知らせる技術を適用したものがある。例えば、裏面シートと吸収体との間に水分と接触すると変色するインジケータを設けて、裏面シート側から透視可能とすることで変色を視認する方法がある（例えば、特許文献１〜３参照）。大人用の尿とりパッドなど、おむつの吸収体上や下着等に配置するものでも、裏面シートと吸収体との間にインジケータを設けて尿とりパッドの裏面シート側から透視可能としたものがある。これに対して、外側を覆うおむつ本体の吸収体に内部の尿とりパッドのインジケータを視認し易くするための穴を設ける技術がある（特許文献４参照）。
【先行技術文献】
【特許文献】
【０００３】
【特許文献１】特開平１１−４８５２号公報
【特許文献２】特開２００４−２２２８６８号公報
【特許文献３】実開昭５８−７８０９号公報
【特許文献４】特開２００７−９７６２７号公報
【発明の開示】
【発明が解決しようとする課題】
【０００４】
特許文献１〜３に開示の技術は、おむつの中央にインジケータを配設することが前提であって、尿とりパッドのように前記外側着用物品の内側に配することを考慮していない。仮に上記文献のもののように物品中央にインジケータを配設した尿とりパッドをおむつや下着、パッドホルダー等の内側に配して使用したとすると、外部からこのインジケータを視認し難い。通常、おむつ等の外側の着用物をずらすかその腹回りを大きく広げて開けるかしなければ内方のインジケータを確認することができない。また、前記特許文献４の技術ではおむつ側の吸収体に穴があるためその吸収性能は不可避的に低下することとなる。吸収体本来の吸収性能を落とすことなく、しかも吸収性物品や下着等を装着したままで内部の尿とりパッドの取り替え時期を確認しやすくすることができれば、その利便性は大幅に向上する。排便と異なり排尿は日中頻繁にあることを考慮すると、利用者あるいは介護者等にとって尿とりパッドの交換に係る煩わしさを大きく改善しうるものとなる。
【０００５】
そこで本発明は、おむつや下着、パッドホルダー等の外側着用物品の内側に配置して用いうる尿とりパッド等の吸収性物品であって排尿があったことを確認しやすくした吸収性物品の提供を目的とする。
【課題を解決するための手段】
【０００６】
本発明は、肌当接面側に配置される液透過性の表面シートと、非肌当接面側に配置される防水性の裏面シートと、該両シート間に介在された吸収体とを有する吸収本体部を備えた吸収性物品であって、該吸収性物品は、腹側部と背側部とを股下部を介して結ぶ方向の縦方向とこれに交差する幅方向とを有し、前記吸収体部分を外側着用物品の内側面上に載置して使用されるものであり、前記吸収本体部の両側には、物品幅方向外方に張り出した前記裏面シート側に折り返し可能な張り出し部があり、該張り出し部は、２層の難液透過性のシートの間に、液体と接すると変色するインジケータ部が配置された構成となされており、前記張り出し部を構成する部材が吸収本体部の側方に入り込んだ入り込み部を備え、該入り込み部と前記吸収本体部とが接合部で固定されており、該接合部には水分の透過可能な領域があり、該水分透過可能領域は液を前記インジケータ部へと誘導可能とされている吸収性物品を提供するものである。
【発明の効果】
【０００７】
本発明の吸収性物品は、おむつや下着、パッドホルダー等の外側着用物品の内側に配置して用いうる尿とりパッド等の吸収性物品であって排尿があったことを確認しやすいという優れた効果を奏する。
【図面の簡単な説明】
【０００８】
【図１】本発明の吸収性物品における一実施形態（実施形態１）としての尿とりパッドを展開して股下部に沿ってやや湾曲させた状態を模式的に示す一部切欠斜視図である。
【図２】図１の尿とりパッドを展開し伸長した状態を模式的に示す平面図である。
【図３】図１のＩＩＩ−ＩＩＩ線断面の標識領域を含む拡大断面図である。
【図４】図１のＩＶ−ＩＶ線断面の液体難拡散性領域を含む拡大断面図である。
【図５】図１の左側のウィング部と吸収本体部の前記ウィング部が入り込んだ部分周辺を模式的に示す部分拡大平面図である。
【図６】図１のＶＩ−ＶＩ線断面の拡大断面図であり、（ａ）は装着前のウィング部を伸長した状態を示し、（ｂ）はウィング部を折り返して着衣に固定した状態を示す。
【図７】本発明の別の実施形態（実施形態２）としての尿とりパッドにおける図３相当の標識領域を含む拡大断面図である。
【図８】本発明の別の実施形態（実施形態２）としての尿とりパッドにおける図４相当の液体難拡散性領域を含む拡大断面図である。
【図９】本発明の別の実施形態（実施形態２）としての尿とりパッドにおける図５相当の部分拡大平面図である。
【図１０】本発明のさらに別の実施形態（実施形態３）としての尿とりパッドを展開し伸長した状態を模式的に示す平面図である。
【図１１】図１０のＸＩ−ＸＩ線断面の断面図である。
【図１２】ウィング部におけるインジケータ及び液拡散性シートの他の好ましい平面配置を模式的に示す説明図である。
【発明を実施するための最良の形態】
【０００９】
（実施形態１）
図１は本発明の吸収性物品における好ましい一実施形態（実施形態１）としての尿とりパッドを展開して股下部に沿ってやや湾曲させた状態を模式的に示す一部切欠斜視図である。図２は図１の伸長状態平面図であり、図３は、図１のＩＩＩ−ＩＩＩ線断面の標識領域を含む拡大断面図である。なお、図１、２において、インジケータ部（インジケータ６）の形状及び配列が明確となるよう斑点模様で示した（以下、図５，９，１０及び１２においても同様。）。
【００１０】
本実施形態１の尿とりパッド１０は、図１に示すように、肌当接面側に配置される液透過性の表面シート１、非肌当接面側に配置される防水性の裏面シート２、及び該両シート間に介在された吸収体３からなる吸収本体部１０ａと幅方向外方に張り出す張出し部としてのウィング部５とを有する。前記吸収本体部１０ａはその平面視において長方形状であり、着用者の腹側に配される腹側部Ｆ、股間に沿うようにわたす股下部Ｃ、及び背側に配される背側部Ｒの各部位からなる。
【００１１】
本発明においては、特に断らない限り、着用者が着用した際に人体に相対的に近い方（典型的には、接触する方）の側を肌面側ないし肌当接面側あるいは表面側ないし内側といい、これと反対側を非肌面側ないし非肌当接面側あるいは裏面側ないし外側という。装着時に人体の前側に位置する方向を前方といいその端部を前端部とし、後側に位置する方向を後方といいその端部を後端部として説明する。吸収性物品の表面又は裏面の法線方向を厚み方向という。さらに、吸収性物品の平面視において腹側部Ｆから股下部Ｃを介して背側部Ｒに亘る方向を縦方向（図１におけるＹ方向）といい、この縦方向と直交する方向を幅方向（図１におけるＸ方向）という。なお、前記縦方向は典型的には装着状態において人体の前後方向と一致する。また張出し部（ウィング部）については、展開伸長した状態で吸収本体部の肌面側もしくは非肌面側と一致する面方向として呼ぶ。また、外側着用物品とは、本発明の吸収性物品をその内側に配置、固定しうる着用物品を指し、具体的には下着、おむつ、又はパッドホルダーである。
【００１２】
尿とりパッド１０において、表面シート１は、吸収性コア３１を被覆シート３２で被覆してなる吸収体３の肌当接面側を幅方向左右側縁部まで覆うように存在する（図１参照）。さらに一対のサイドシート４，４が、表面シート１の縦方向に一致する長さで表面シート１の肌当接面側に積層され、吸収体３の幅方向左右側縁外方にそれぞれ延出している（図１及び２参照）。サイドシート４の延出した部分と裏面シート２の幅方向に延出した部分とが積層されてその幅方向外側で接合されている（図１及び２参照）。該サイドシート４は、立体ギャザー形成部材として起立性防漏カフをなす自由端縁４１を有し、該自由端縁４１に内装した立体ギャザー用弾性部材４２が着用状態で尿とりパッドの縦方向に収縮して着用者の肌面に向け突出するように起立する（図３，４及び６参照）。それにより自由端縁４１が肌にしっかりと当接し、排泄物の外部への移行を遮断して横漏れを効果的に防止する。前記立体ギャザー用弾性部材４２は、少なくとも股下部Ｃに配されており、更に腹側部Ｆ及び／又は背側部Ｒ側にも延びて配されていることが好ましい。その接合方法は、この種のものに用いられる通常の方法を用いることができる。なお図３，４及び６の断面図では理解のため立体ギャザーが起立した状態で図示したが、図２の伸長展開状態では起立していない。
【００１３】
尿とりパッド１０において、その平面視について、吸収本体部１０ａの股下部Ｃ付近の左右幅方向端縁外方に、そこから突出するように張り出し部としてのウィング部５が形成されている（図２参照）。ウィング部５は、２層の難液透過性のシートの間に、液体と接すると変色するインジケータ部（インジケータ６）が配置された構成とされている（図３参照）。ここで難液透過性とは、液を透過させにくい性質を意味し、防水性、撥水性及び液不透過性の性質を含む。本実施形態１において、前記２層の難液透過性シートは、撥水性の表側シート５１と防水性の裏側シート部５２とである。この表側シート部５１は、尿とりパッド１０を展開し伸長した状態で吸収本体部１０ａの表面シート１と同じ面側に配されているシートである。表側シート５１は、尿とりパッド１０の装着時に山折りされて着用者の股下部等の肌に当接し、かつ、下着やおむつカバー等の外側着用物品よりも非肌当接側面に配置される（図６参照）。一方、裏側シート５２は、前記の展開状態で吸収本体部１０ａの裏面シート２と同じ面側に配されているシートである。裏側シート５２は、装着時に谷折りされて外側着用物品に当接するよう配置される（図６参照）。また表側シート５１は、装着時に外側着用物品よりも非肌当接側面となり該外側着用物品の外側から視認可能である。そのため、表側シート５１は、ウィング部５内部のインジケータ６の変色を視認できるよう光透過率が高いことが好ましい。
【００１４】
インジケータ６は、表側シート５１と裏側シート部５２との間で配設されており、液体と接触すると視覚的に変化して液の排泄の検知を可能とする機能を有する。このインジケータ６の視覚的変化は表側シート５１を介して目視可能とされている。インジケータ６は、排尿等の水分に反応する機能を有し、例えばｐＨの変化によって色が変化する呈色指示薬を含む親水性組成物を用いて形成される。インジケータ６は、この種の物品に用いられる方法により形成でき、例えば、前記組成物等の変色可能な材を裏側シート５２に直接塗布したり含浸させたりしたものであってもよく、ティッシュペーパーや親水性不織布等のシート部材に塗布したり含浸させたりしたものを介在させるようにしたものであってもよい。なお「視覚的変化」あるいは「変色」とは、水分との接触で、ある色から他の色への色変化、有色から無色への色消失、無色から有色への色出現を含む意味である。
【００１５】
このような構成のウィング部５は、平面視において、吸収本体部１０ａとの境界であるウィング基端位置５ｔを底辺としてそこからゆるやかな台形状の曲線を描くようにウィング外周縁部５ｓをなしている（図２参照）。さらにウィング部５は、ウィング基端位置５ｔを越え吸収本体部１０ａの内方に入り込んで、入り込み部を構成している。なお、ウィング部５の入り込み部は、構成部材全体が入り込んだ部分に限らず、その一部の構成部材のみが入り込んだ部分をも意味する。この入り込み部によって、ウィング部５の内方端から吸収体３に吸収された液の一部が取り込まれ、インジケータ６に時機よく変色が生じる。これにより、尿とりパッド１０の吸収体３部分を外側着用物品の内側面上に載置して使用しても、前記外側着用物品の外側にあるインジケータ６の変色を認識して、尿とりパッド１０の濡れを知ることができる。そして、尿とりパッド１０の交換時期を時機よく知ることができる。このウィング部５が吸収本体部１０ａに入り込んだ部分の構成とその作用機序の詳細は後述する。なお、本発明においてウィング部とは、折り返されて着衣等の外側面に位置しうる形状の部材のことであり、その形状は図１に示すような羽形状に限定されるものではない。
【００１６】
前述の液の取り込み易さの観点から、インジケータ６の塗布対象物としては、液拡散性シート７であることが好ましい。液拡散性シート７を用いることで、液拡散性シート７の液拡散機能によって吸収体３にある液の変色に必要な量をインジケータ６の方へと積極的に引き込み、その結果、インジケータ６の変色を円滑に生じさせることができる。本実施形態１においては、物品幅方向（Ｘ方向）に長さを持つ帯状の液拡散性シート７がインジケータ６よりも幅（Ｙ方向長さ）が広くされ、かつ液拡散性シート７の肌当接面側の幅中央部分にインジケータ６が塗設されている（図２参照）。このように帯状の液拡散性シート７とインジケータ６とが積層されてウィング部５内で標識領域９が形成されている。このような配置とすることで、尿等の体液を広い範囲でインジケータ部分に誘導することが可能になると共に、排尿量が多くなるにつれてインジケータの変色が次第に起こって行くのが視認し易くなるので、物品の交換のタイミングがはかり易くなるので好ましい。
【００１７】
インジケータ６と液拡散性シート７とから構成される標識領域９は、物品縦方向（Ｙ方向）に間隔をおいて複数条配されていることが好ましい。このように間欠的な配置とすることで、インジケータ６の変色に必要な液の引き込み領域の面積を必要最小限に抑えることができるので、液漏れを防止するのに効果的である。また、排尿ポイント部分の近くでは引込まれる尿量が多くなって、それ以外の部分との変色量の相違から当該部分の変色が見易くなるので、物品交換のタイミングが計りやすくなる。本実施形態１においては、標識領域９が、左右のウィング部５のそれぞれに４条、物品縦方向（Ｙ方向）に等間隔で離間して配設されている。このようにウィング部５全体に亘って、標識領域９が等間隔で配置されることで、排尿量が多い部分の近辺でインジケータの変色量が多くなり易く、また、排尿量が多くなるにつれてインジケータの変色が次第に起こって行くのが視覚的に確認し易いので、交換のタイミングがはかり易くなることとなり好ましい。
【００１８】
また尿とりパッド１０において、標識領域９が配されないウィング部５の部分は、撥水性の表側シート５１と防水性の裏側シート５２とが接合されて、液拡散性シート７が配されている部分と比べて相対的に液拡散性が劣る液体難拡散性領域８となされていることが好ましい（図２参照）。液体難拡散性領域８においては、表側シート５１と裏側シート５２との疎水性の接合形態であることが好ましく、特に、疎水性の接着剤や、両シート間の熱シール加工又は超音波シール加工などが好ましい。このような構成によって、インジケータ６部分に水分が優先的に誘導されることになり、インジケータ６の変色のタイミングが良好となる。また、必要以上の水分がウィング部分５に導かれ難いので、ウィング部５を介して外部に水分が漏れ出ることを抑制するのに役立つ。
【００１９】
前述のようなインジケータ６への液の優先的な誘導と不要な液拡散の抑制による液の横漏れ防止との両立のため、各インジケータ６の幅（物品縦方向の長さ）（ｗ１）、各液拡散性シート７の幅（物品縦方向の長さ）（ｗ２）、及び各液体難拡散性領域８の幅（物品縦方向の長さ）（ｗ３）の比率（ｗ１／ｗ２／ｗ３）は、１／１．５／１〜１／３／５が好ましく、１／２／１〜１／３／４がさらに好ましい。上記範囲内とすることで、ウィング部における、良好な体液の引込み性と体液の漏れ制が両立し易くなる。また、上記下限以上とすることでウィング部を下着、おむつ、またはパッドホルダーに固定可能な大きさに設計しやすくなり、上記上限以下とすることでウィング部を、装着時に左右ウィング部が重ならずに装着する大きさに設計することが容易となる。
【００２０】
本実施形態１では、前述の液の取り込み易さの観点から、液拡散性シート７が表面シート１と吸収体３との間まで至るようにして配されている（図２及び３参照）。この構成によって、吸収性物品に排泄された尿等の水分がウィング部５へ誘導され易くなり、インジケータ６の変色のタイミングがより適切なものとなる。本実施形態１のように液拡散性シート７が表面シート１と吸収体３との間に配される場合には、早めに排尿時期を知るのに好適である。特に、吸収容量が小さいタイプの場合には、一度に大量の排尿があったような場合に吸収限界に至るよりも早く変色を知る事ができるので、漏れを防止するのに好適である。
【００２１】
前述のインジケータ６への液の優先的な誘導と不要な液拡散の抑制による液の横漏れ防止との両立の観点から、液拡散性シート７が配設される平面視における好ましい範囲として、その縦方向端は、縦方向中心線から前後に５０ｍｍの幅が好ましく、３０ｍｍの幅がさらに好ましい。また、幅方向内側の端部としては、吸収体の側部領域に留まっていることが、インジケータ６のタイミング良い視覚的変化の観点から好ましい。より具体的には、吸収体３を最大幅部分を基準として幅方向に３分割した場合の左右１／３の幅の領域よりも幅方向外側に液拡散性シート７の内側端が存在することが好ましい。また、本実施形態のように吸収体１０の幅方向側部に撥水性のサイドシートが備えられている場合には、吸収性物品を伸長状態としたときのサイドシートの幅方向内側の自由端縁４１よりも外側に液拡散性シートの内側端が存在することが好ましい。当該条件は、吸収性物品の股下部Ｃにおいて達成されていることが好ましい。なお、吸収体３の形状が所謂砂時計形状であって、吸収体３の縦方向前後における最大幅を三分割し、股下部Ｃで幅方向左右１／３の領域が存在しないか、一部存在しないことも考えられる。一部存在しない場合には、他の部分で上記条件を満たしていればよく、また、股下部Ｃで全く当該左右１／３の領域が存在しない場合には、腹側部又は背側部において上記条件を満たしていれば良い。
【００２２】
本実施形態１ではインジケータ６は吸収本体部１０ａまで延在しているが、インジケータ６はウィング部５のみに存在していても構わない。その場合、ウィング部５を折り曲げた状態で液が確実に受け渡しされる観点から、最も吸収本体側に位置するインジケータ６は、接合端ｋ（図３，４参照）からの距離が２０ｍｍ以内に配されるのが好ましく、特に１０ｍｍ以内、更には２ｍｍ以内に配されるのが好ましい。
【００２３】
本実施形態１の尿とりパッド１０においては、ウィング部５の入り込み部分と吸収本体部１０ａとは、縦方向（Ｙ方向）に沿って形成された接合部により固定されている。前記接合部の形成方法としては、この種の物品に用いられる方法を用いることができる。例えば、ホットメルト接着剤による部材間の接合、エンボス加工やヒートシール、超音波シールなどの加熱、加圧処理によって積層された部材を部分的に融着させて一体化する接合などが挙げられる。前記エンボス加工としては熱エンボス、超音波エンボス、高周波エンボス等がある。この接合部は、ウィング部５が尿とりパッド１０の使用時に吸収本体部１０ａからズレたり分離したりしないようしっかり固定させるものであり、液漏れを防止するためのものである。一方で、接合対象としてのウィング部５の入り込み部分は、インジケータ６の変色をし易くするよう液の誘導路となるべき部分でもある。したがって、ウィング部５と吸収本体部１０ａとの接合は、固定性及び液防漏性と液の引き込みとの両立が必要となる。
【００２４】
そこで本発明は、前記接合部に水分の透過可能な領域（以下、「水分透過可能領域」とも言う）を配設することにより、ウィング部５の固定性及び液防漏性を維持しつつ、液の取り込み性を確保し得るものである。つまり前記接合部にあって、前記水分透過可能領域が液をインジケータ６へと誘導し得る。この水分透過可能領域は、接合部の一部について、（１）接合強度を弱める、（２）非接合とする、（３）水溶性接着剤を用いて水易溶解性にするなどの方法により形成され得る。また、前記接合部及び水分透過可能領域の配設位置及び範囲は、ウィング部５の入り込み範囲や入り込み構成部材によって異なる。水分透過可能領域は、少なくともインジケータ６又は液拡散性シート７の配置位置に対応して配されることが好ましい。本実施形態１においては、少なくともウィング部５が吸収本体部１０ａに入り込む内方端付近の標識領域９の配置位置において、水分透過可能領域が形成されている。この接合部の配置位置及び範囲について、ウィング部５の入り込み部分における好ましい部材構造とともに、図３〜５を参照して以下に説明する。以下の説明は、図１の左側のウィンング部５に係る部分について図３〜５を参照してなされるが、右側のウィング部５に係る部分も左右対称である以外は同様である（後述の実施形態２及び３においても同様）。なお、ウィング部５の入り込み部分というとき、前述のとおり、構成部材全体が入り込んだ部分に限らず、その一部の構成部材のみが入り込んだ部分をも意味する。
【００２５】
図３は、図１のＩＩＩ−ＩＩＩ線断面の拡大断面図であり、液拡散性シート７が配されている標識領域の断面図である。図４は、図１のＩＶ−ＩＶ線断面の拡大断面図であり、液拡散性シート７が配されない液体難拡散性領域の断面図である。図５は、図１の左側のウィング部と吸収本体部の前記ウィング部が入り込んだ部分周辺を模式的に示す部分拡大平面図であり、接合部及びその水分透過可能領域の配置位置につて説明するための図である。図３〜５では、物品幅方向（Ｘ方向）に領域ｇ１（領域ｇ１１及び領域ｇ１２）及び領域ｇ２（領域ｇ２１及び領域ｇ２２）と区分して説明する。領域ｇ１は、サイドシート４がウィング部５を介して裏面シート２と積層されている領域であり、吸収体３の配されない領域である。より詳細には、領域ｇ１１はウィング部５の基底領域であり、領域ｇ１２は、領域１１のウィング部５の基底領域から吸収体３の側縁までを繋ぐ領域である。他方、領域ｇ２は、吸収体３の肌当接面側の幅方向（Ｘ方向）側縁付近であって、サイドシート４から形成される立体ギャザーが配される領域に重なる。より詳細には、領域ｇ２１は、サイドシート４から形成される立体ギャザーの基底領域であり、領域ｇ２２は、領域ｇ２１よりさらに幅方向内方に及んで防漏カフをなす自由端縁４１までの領域である。
【００２６】
まず、好ましい部材配置について図３及び４を参照して説明する。領域ｇ２は、起立した立体ギャザーによって液の横漏れを防止するいわゆる防波堤となる部分である。この領域ｇ２、特に領域ｇ２２に液拡散性シート７が吸収体３の肌当接面側に配されることで、吸収体３の幅方外方へ拡散しようとする液をタイミングよく捕捉して、インジケータ６へと誘導することができる。そのため本実施形態１の領域ｇ２２では、ウィング部５の標識領域９において（図３及び５参照）、表側シート５１を伴う液拡散性シート７が４条、吸収体３に直接当接して配置されている。さらに液拡散性シート７は、インジケータ６を伴って変色をより生じやすくさせている。あるいはこの実施形態に限らず、液拡性シート７とともにウィング部５の裏側シート５２を領域ｇ２２まで延出させて部分的に孔を多数設けてもよい。この場合、液の液拡散をより効果的に抑制するよう調節が可能である。また、ウィング部５の表側シート５１は、領域ｇ２２まで及んで液拡散性シート７の肌当接面側を覆ってもよく、領域ｇ２１に留まってもよい。本実施形態１のように表側シート５１が領域ｇ２２まで及んでいることで、液の表面シート１側への液戻りを抑制し得るので好ましい。
また、領域ｇ２１は、立体ギャザーの基底領域としてサイドシート４と表面シート１とが接着剤等による接合部８７でしっかりと接合固定されている領域である。したがって本実施形態１の領域ｇ２１では、ウィング部５の標識領域９において（図３及び５参照）、ウィング部５を構成する撥水性の表側シート５１と液拡散性シート７とが積層配置され、防漏性を保持する構造である。これにより、液拡散性シート７が誘導する液を不必要に肌当接面側に漏らすことなく好ましい。なお本実施形態１においては、領域ｇ２１にはウィング部５の防水性の裏側シート５２は配されず、液拡散性シート７が吸収体３と当接して液を捕捉しやすくしているが、防漏性の観点から必要によりこの領域に裏側シート５２を配してもよい。一方、領域ｇ２１及びｇ２２における、液拡散シート７が配されないウィング部５の液体難拡散性領域８では（図４及び５参照）、撥水性の表側シート５１のみが表面シート１と吸収体３との間に介在するよう配置され、液の拡散を抑制している。
【００２７】
領域ｇ１は、吸収体３の側縁より幅方向外側に位置する領域である。この領域ｇ１においては、液の横漏れ防止の観点から、液の移動は極めて限定的なものとされることが好ましい。そのため、領域ｇ１１及び領域ｇ１２のいずれの領域においても、ウィング部５の標識領域９において（図３及び５参照）、液拡散性シート７を撥水性の表側シート５１と防水性の裏側シート５２で挟持し、さらに撥水性のサイドシート４と防水性の裏面シート２とで覆う積層構造である。一方、領域ｇ１における、ウィング部５の液体難拡散性領域８では（図４及び５参照）、表側シート５１及び裏側シート５２が疎水性の接合形態とされて配置されている。
【００２８】
次に、好ましい接合構造について図５を参照して２つの実施例を挙げて説明する。図５では、前述の領域ｇ１（領域ｇ１１及び領域ｇ１２）及び領域ｇ２（領域ｇ２１及び領域ｇ２２）を図３及び４に対応させて示している。インジケータ６及び液拡散性シート７からなる４条の標識領域９は、縦方向（Ｙ方向）に間隔をあけて、表側シート５１を伴なって幅方向（Ｘ方向）に配置されている。また標識領域９は、領域ｇ１及びｇ２を横断し、その端部が領域ｇ２２にまで及んでいる。このような構造に対し、ウィング部５の固定性及び液防漏性の観点から、少なくとも領域ｇ２２の領域においてウィング部５の入り込み部分の縦方向（Ｙ方向）最大幅を覆う範囲で、接合部が形成されることが好ましい。
【００２９】
まず、実施例１について実施形態１に基づき説明する。尿とりパッド１０においては、領域ｇ２２に接合部１００が形成されている。接合部１００において、ウィング部５の固定性及び液防漏性とともに液の取り込み性の観点から、液拡散性シート７を含む標識領域９の位置に水分透過可能領域９１が４か所に形成されている。より具体的には、水分透過可能領域９１は、領域ｇ２２という吸収体３に最も入り込んだ幅方向（Ｘ方向）位置において、標識領域９にあたる縦方向（Ｙ方向）に間欠的な領域において形成されている。つまり接合部１００は、液の取り込み口となる領域ｇ２２の位置にあって、水分透過可能領域９１を配することで拡散性シート７と液との接触を阻害しない。これにより、接合部１００の水分透過可能領域９１以外の部分でしっかりとウィング部５を固定させながら、液拡散性シート７の吸収体側端部でタイミングよく液を捕捉してインジケータ６へと液を誘導できる。これを尿とりパッド１０の厚み方向断面における部材間の接合構造として見ると以下のとおりとなる。
【００３０】
この接合部１００を厚み方向にみると、まずウィング部５の標識領域９において（図３参照）、領域ｇ２２の接合部１０１（吸収本体部１０ａの表面シート１とウィング部５の表側シート５１との接合部）であり、領域ｇ２２の接合部１０２（液拡散性シート７と吸収体３との接合部）である。また、ウィング部５の液体難拡散性領域８において（図４参照）、領域ｇ２２の接合部１０３（吸収本体部１０ａの表面シート１とウィング部５の表側シート５１との接合部）であり、領域ｇ２２の接合部１０４（表側シート５１と吸収体３との接合部）である。接合部１００において、水分透過可能領域９１は、標識領域９における接合部１０２（液拡散性シート７と吸収体３との接合部）に形成され、その他の接合部１０１，１０３及び１０４は、固定性と液防漏性の観点からしっかりと接合固定されている。なお、図４に示す液体難拡散性領域８において、表側シート５１及び裏側シート５２の当接部分は、前述のとおり疎水性の接合形態（疎水性の接着剤や熱シール加工、超音波シール加工等）で接合されている。接合部１００の形成方法は、前述のとおり、ホットメルト接着剤による部材間の接合、エンボス加工やヒートシール、超音波シールなどの加熱、加圧処理によって積層された部材を部分的に融着させて一体化する接合などを用いることができる。しかし、接合部１０１〜１０４は、液透過性の表面シート１や液吸収保持性の吸収体３を含む接合であるため、液防漏性や液吸収性の観点から、部材をフィルム化しない接合であること好ましい。例えば、接着剤による部材間の接合やフィルム化しない程度のエンボス加工等であることが好ましい。
【００３１】
そして、水分透過可能領域９１となる接合部１０２の形成方法は、液拡散性シート７による吸収本体部１０ａからウィング部５への液拡散を担保するために、液体が通過可能な接合形態であることが好ましい。例えば、（１）接合部１０２の接着剤の坪量を他の接合部（強接着の部分）よりも小さい弱接着とし、接合部１０１，１０３及び１０４を強接着とする、（２）接合部１０２を非接着とする、（３）接合部１０２を水溶性接着材料を用いた水易溶解性とし、接合部１０１，１０３及び１０４を水不溶性接着材料を用いた水難溶解性とする、などが挙げられる。
【００３２】
前記（１）の接合部１０２の接着剤の坪量を他の接合部よりも小さくする場合には、接合部１０２の接着剤の坪量を０．１〜９ｇ／ｍ２、特に０．５〜８ｇ／ｍ２とすることが、ウィング部５と吸収本体部１０ａとの接合の強度を保ちながら液を通過させる観点から好ましい。これに対し、接合部１０１，１０３及び１０４の接着剤の坪量を０．５〜１７ｇ／ｍ２とすることが好ましく、１〜１５ｇ／ｍ２とすることがさらに好ましい。なお接着剤の塗工方法としては、スパイラル塗工によってホットメルト接着剤を粗密に塗布する方法、カーテンスプレー塗工によってホットメルト接着剤をファイバー状に塗工する方法、ビード状に複数本塗工する方法等を採用することができる。この場合、接合部の幅は小さくすることが液通過の観点から好ましい。また、スパイラル形状であることが接合強度との両立が図りやすいので好ましい。特に、上記坪量とスパイラルを組み合わせることが好ましい。
【００３３】
前記（３）の接合部１０２を水溶性接着材料を用いた水易溶解性とする場合、水溶性接着材料としては、ポリビニルアルコール、澱粉性の接着性材料など粘着剤を用いることが、また塗工方法としては、スパイラル塗工によって粗く塗布する方法等を用いることが、微量の液で容易に溶解し得るので好ましい。この水易溶解性ないしは水溶性というとき、その程度は、固定性及び防漏性と液の取り込み性の観点から、液との接触や液の浸透により接合部が剥がれる、または隙間が生じるものであることが好ましい。水溶性接着材料の坪量としては、０．１〜９ｇ／ｃｍ２が好ましく、０．５〜８ｇ／ｃｍ２が、体液との接触前における十分な接合強度と、体液との接触後での接合の容易な解離が両立し易いことからさらに好ましい。
また、接合部１０１，１０３及び１０４を水不溶性接着材料を用いた水難溶解性とする場合、水不溶性接着材料としては樹脂系の接着剤を用いることが好ましく、また塗工方法としては疎水性粘着剤をビード状に塗工する方法等を用いることが好ましい。この水難溶解性ないしは水不溶性というとき、その程度は、液との接触によって接合部分が剥がれない程度であることが好ましい。水不溶性接着材料の坪量としては、０．５〜１７ｇ／ｃｍ２が好ましく、５〜１５ｇ／ｃｍ２がさらに好ましい。
【００３４】
前記（１）の接合部１０２を弱接合とする場合や（２）の接合部１０２を非接着とする場合、接合部１０２に接着剤を塗布しない方法だけでなく、エンボス加工による方法であってもよい。具体的には、領域ｇ２２に縦方向に形成される接合部１００おいて、ウィング部５の液難拡散性領域８（図４及び５参照）を圧着して一体化し、一方で、標識領域９（図３及び５参照）を非圧着とすることまたは液拡散性シート７と吸収体３との間の液の移動を阻害しない程度に弱圧着することが挙げられる。
エンボス加工を用いる場合、ウィング部５の液難拡散性領域８では（図４参照）、接合部１０３及び１０４を含めた表面シート１、表側シート５１、裏側シート５２及び吸収体３が一体化してしっかりと圧着接合されるので、ウィング部５と吸収本体部１０ａとの固定性及び液防漏性が強固なものとなり好ましい。ただし、前述のとおり、フィルム化しない程度であることが好ましい。この観点から、液難拡散性領域８のエンボスの程度は、製品厚みの２０〜８０％に及ぶものであることが好ましく、特に３０〜７５％であることが好ましい。前記下限以上とすることで、液難拡散性領域８と標識領域９との間で十分な厚みの差が生じ、標識領域９へと液を導きやすくとなり、前記上限以下とすることで、フィルム化や、硬化が抑制された、使用時の装着感の良好なものとなる。また、前記エンボス加工は、接合部１０１，１０３及び１０４を前述の接着剤で固定したうえで行うことも固定性及び防漏性の観点から好ましい。
一方で、標識領域９では（図３参照）、弱圧着とするエンボスの程度は、製品厚みの２〜４０％であることが好ましく、５〜２０％であることが好ましい。前記下限以上とすることで、液難拡散性領域８と標識領域９との間で厚みの差が生じ、標識領域９へと液を導きやすくとなり、前記上限以下とすることで、フィルム化や硬化がなく使用時の装着感が良好なものとなる。
なお、強圧着と弱圧着の各エンボスの程度の差は、製品厚みで５〜７５％、特に１０〜６０％であることが好ましい。
【００３５】
さらに接合部１００の接合構造は、ウィング部５と吸収本体部１０ａとを固定し液漏れを防ぐものとして、領域ｇ２２のみに形成されてもよく、さらに同じ接合構造が領域ｇ２１に接合部１１０として形成されてもよい（図５参照）。あるいは、接合部１００と接合部１１０とが連続したものとして形成されてもよい。また、接合部１００及び接合部１１０は、それぞれの領域ｇ２２及びｇ２１の幅方向（Ｘ方向）に一致させて形成されてもよく、それよりも狭幅にされていてもよい。
【００３６】
接合部１１０が形成される領域ｇ２１は、前述のとおり、立体ギャザーの基底領域としてサイドシート４と表面シート１とが接着剤等による接合部８７でしっかりと接合固定されている領域である。そのため水分透過可能領域９１を設けつつも、この領域ｇ２１の防漏性を高める観点から、接合部１１０の接合強度を接合部１００よりも高いものとすることが好ましい。具体的には、接合部１１０を厚み方向にみて、ウィング部５の標識領域９（図３参照）における接合部１１１（吸収本体部１０ａの表面シート１とウィング部５の表側シート５１との接合部）、ウィング部５の液体難拡散性領域８（図４参照）における領域ｇ２１の接合部１１３（吸収本体部１０ａの表面シート１とウィング部５の表側シート５１との接合部）、及び接合部１１４（表側シート５１と吸収体３との接合部）を、領域ｇ２２の接合部１００における接合部１０１，１０３及び１０４より強接合とすることである。一方で、領域ｇ２１の接合部１１２（液拡散性シート７と吸収体３との接合部）は、領域ｇ２２の接合部１０２と同様に水分透過可能領域９１とされる。このように接合強度の強弱又は非接合と接合との組み合わせで、固定性及び液防漏性を維持しつつ、水分透過可能領域９１を形成する場合、領域ｇ２２の接合部１０１〜１０４及び領域ｇ２１の接合部１１１〜１１４の接合強度の比は、１０２接合部＜１１２接合部≦１０１接合部≦１０３接合部≦１０４接合部＜１１１接合部≦１１３接合部≦１１４接合部であることが好ましい。
【００３７】
接合部を強接合と弱接合の組合せで設ける場合には、液難拡散性領域８の接合強度は、５００〜３０００ｃＮ／３０ｍｍ、特に５００〜１５００ｃＮ／３０ｍｍとするのが好ましい。一方、水分透過可能領域９１の接合強度は、５０〜５００ｃＮ／３０ｍｍ、特に５０〜２５０ｃＮ／３０ｍｍとするのが好ましい。接合部全体の接合強度は、５００〜２５００ｃＮ／３０ｍｍとするのが好ましい。接合強度の測定方法は、各接合部について、適当な大きさに切り出してサンプルとし、得られたサンプルについて、引張試験機にて、３００ｍｍ／ｍｉｎで１８０°剥離強度を測定し、これを幅３０ｍｍに換算する。なお、強接合部及び弱接合部については、疑似的に各接合部と同条件で作製した幅の広いサンプルを用いて測定してもよい。
【００３８】
さらに前記接合部１００及び１１０に加えて、接合部１００と同じ接合構造のものが、領域ｇ１１に接合部１３０として形成されてもよい（あるいは図示しないが、接合部１３０同様の接合構造として接合部１２０が領域ｇ１２に形成されてもよい）。この場合、領域ｇ１１及びｇ１２を合わせた領域ｇ１は、前述のとおり、吸収体３の配されない領域であり、ウィング部５の基底領域から吸収体３の側縁までの領域である。したがって、最も防漏性が求められる領域である。この領域における接合部１３０（あるいはこれに加えて接合部１２０）は、吸収体３がないために、エンボス加工やヒートシール、超音波シールによってフィルム化し部材を一体化する強接合とすることも好ましい。具体的には、接合部１３０を厚み方向にみて、ウィング部５の液体難拡散性領域８（図４参照）における吸収本体部１０ａのサイドシート４、ウィング部５の表側シート５１、裏側シート５２、及び吸収本体部１０ａの裏面シート２までが一体化された強接合部１３１とされることが好ましい。また、ウィング部５の標識領域９（図３参照）における吸収本体部１０ａのサイドシート４、ウィング部５（表側シート５１、インジケータ６、液拡散性シート７、及び裏側シート５２）、及び吸収本体部１０ａの裏面シート２は、液拡散性シート７の液拡散性を阻害しない程度に一体化された弱接合部１３２とされることが好ましい。弱接合部１３２が液拡散性シート７の液引き込み性を阻害しない水分透過可能領域９１とされる。強接合部１３１の形成方法としては、疎水性粘着剤、ヒートシール、超音波シール等が好ましい。
【００３９】
次に、本発明の水分透過可能領域を含む接合部の実施例２について、実施形態１に基づいて図３〜５を参照して説明する。
実施例２においては、前述の実施例１とは異なり、接合部１００全体（図５参照）を水分透過可能領域とし、接合部１１０（ないしは接合部１２０及び１３０）（図５参照）を強接合部とする接合構造である。接合部１００全体を水分透過領域とすることは、厚み方向にみて、接合部１０１〜１０４（図３及び４参照）を、前述のように、（１）接着剤の坪量を少なくしたり圧着強度を弱めたりして接合強度を弱める、（２）非接合部とする、（３）水溶性接着材料を用いて水易溶解性にする、ことにより形成することができる。
【００４０】
実施例２においては、水分透過性領域とされた接合部１００に対し、接合部１１０（ないしは接合部１２０及び１３０）全体を、固定性と液防漏性の観点から接合強度を高める接合とされている。強接合の方法としては、接着剤の塗布坪量を高めたり、エンボスやヒートシール等の圧着強度を高めてフィルム化したり、水不溶性接着材料を用いた水難溶解性としたりすることが挙げられる。実施例２においては、接合部１００にある液拡散性シート７の端部が液をより強く取り込むことができるため、接合部１１０（ないしは接合部１２０及び１３０）の接合は液拡散性シート７の液の引き込み性を接合部１００よりも多少抑えた接合とすることも可能となる。しかし、それでも液拡散性シート７の液の引き込み性が完全には阻害されずインジケータ６全域で変色が可能となるよう、接合部１１０（ないしは接合部１２０及び１３０）の接合強度である必要がある。この観点から、接着剤の坪量では０．１〜９ｇ／ｍ２が好ましく、０．５〜８ｇ／ｍ２がさらに好ましい。またエンボスやヒートシール等の圧着による場合、製品厚みの２〜４０％が好ましく、５〜２０％がさらに好ましい。
【００４１】
次に、図６を参照して、尿とりパッド１０の使用状態について説明し、ウィング部５のインジケータ６による液排泄の検知方法について説明する。図６は、図１のＶＩ−ＶＩ線断面の拡大断面図であり、（ａ）は装着前のウィング部を伸長した状態を示し、（ｂ）はウィング部を折り返して着衣に固定した状態を示す。なお図６（ｂ）においてウィング部５と裏面シート２との関係を説明するため着衣ｗは２点鎖線で示した。
尿とりパッド１０を装着して使用する際、図６（ａ）に示す展開状態の尿とりパッド１０を、ウィング基端位置５ｔあるいはその周辺位置に沿ってウィング部５を物品幅方向内側へ向けて、かつ裏面シート２の存在する側へ折り曲げ、外側着用物品である着衣ｗのクロッチ部分等を巻き込むようにして粘着剤５３で固定する。この固定された状態が尿とりパッドの使用状態であり、図６（ｂ）に示すとおり、ウィング部５のインジケータ６と吸収本体部１０ａ内部の吸収体３とは厚み方向に積層した位置関係となる。
【００４２】
本実施形態１において、装着状態では表側シート５１が反転して非肌当接面側に配される。該表側シート５１は着衣等よりも外側に位置することになるので、着衣ｗの外側からでもウィング部５の表側シート５１及びこれを介してインジケータ６の視覚的変化を認識することができる。前述のとおり、インジケータ６が塗布された液拡散性シート７は、吸収本体部１０ａ内部の吸収体３の肌当接面側にまで至り、その液拡散機能を阻害されずに吸収本体１０ａと接合されている。そのため、排泄液が表面シート１から吸収体３へと吸収され幅方向に拡散する段階で、該液は液拡散性シート７によって捕捉される。そして液が的確にインジケータ６へと引き渡され、インジケータ６の変色が生じる。つまり尿とりパッド１０を着衣ｗに装着したままでも吸収体３に排泄尿等が吸収保持されたことを認識することができる。それによって尿漏れする前にタイミングよく尿とりパッドを取り替えることが可能となる。本実施形態１の尿とりパッドでは、従来のもののように吸収体３に視認のための穴を設ける必要がなく吸収体の吸収性能を落とす必要がない。また本実施形態１の尿とりパッド１０において、ウィング部５，５を設けることで、着用者の排尿ポイントｐ（図２参照）を含む前記股下部Ｃをしっかりと固定できズレを抑えられる。ここで排尿ポイントｐとは、着用者が尿とりパッド１０を着用した際に尿が排泄される領域及びその周辺を意味し主に股下部Ｃを中心とする部分である。本発明の張り出し部は、幅方向に関して排尿ポイントｐから外方へ延びる領域を含むように配されると、時機良いインジケータの視覚的変化が得られ易い。なお、本実施形態１においては、この排尿ポイントを含む股下部Ｃの幅方向外方にウィング部５，５が配設されている。
【００４３】
液拡散性シート７の液拡散性能は、後述する測定方法によって得られるクレム吸水高さで示される。ウィング部５への液を素早くかつ正確に伝播させる観点から、幅方向へのクレム吸水高さが２５ｍｍ以上であることが好ましく、２５ｍｍ〜１００ｍｍであることがより好ましく、３５ｍｍ〜８０ｍｍであることがさらに好ましい。このように液拡散性に優れた液拡散性シート７２を配設することによって、幅方向への液拡散を適度にかつ容易に導きやすくなりインジケータ６の変化に効果的である。液を幅方向へ効果的に拡散するためには、矩形の液拡散性シートを股下部Ｃにおいて、排泄ポイント近傍に配置することで、ウィング部のインジケータに確実に液を伝達することができる。
【００４４】
本実施形態１において、ウィング部５の表側シート５１は、インジケータ６の視覚的変化（変色、色消失、色出現）が視認可能とされていることが好ましい。透明性の指標としては、ＪＩＳ  Ｐ８１３８に準じて測定する不透明度が５０％以下であることが好ましく、４０％以下であることより好ましく、３０％以下であることがさらに好ましい。この不透明度の測定方法は後述する。なお本実施形態１において、表側シート５１は、１つのシート材をサイドシート４と接合するようにされているが、これに代えて吸収本体部１０ａを構成するサイドシート４などのシート材の一部が延出して表側シート５１とし、部分的に不透明度を下げる処理を施してもよい。本実施形態１は、下着やおむつカバーに装着して使用するナプキンや尿とりパッドが好ましく、該下着やおむつカバーは蒸気の透過を阻害しない透湿性を有することが好ましい。
【００４５】
本実施形態１において、ウィング部５の裏側シート５２の防水性の程度は、液体の透過を十分に阻止する観点から、耐水圧で１００ｍｍ以上が好ましく、５００ｍｍ以上がさらに好ましい。また裏面シート２ないしその裏側シート部５２が透湿性を有する場合、その程度は、インジケータの変色を発揮し、防水性を維持しつつ、おむつ内部のムレやそれに伴う着用者の肌のカブレを十分に防止する観点から、０．５〜４．０ｇ／（１００ｃｍ２・ｈ）が好ましく、１．０〜２．５ｇ／（１００ｃｍ２・ｈ）がさらに好ましい。この範囲にあることで裏面シート２に到達した液そのものは通過せず蒸気だけが通過するようにできる。またウィング部５の裏側シート部５２において蒸気そのものは通過するが、ウィング部５内部で結露した水分は裏側シート部５２を通過せず着衣側に戻るのを防ぐ。このようにすることで着衣への水分の付着を抑えることができる。なお、シート材の防水性及び透湿性の測定方法については後述する。
【００４６】
（実施形態２）
図７及び８は本発明の別の実施形態（実施形態２）としての尿とりパッド２０の、図３及び４相当図面である。本実施形態２の尿とりパッド２０は、前記実施形態１のウィング部５を構成している液拡散性シート７が吸収体３と裏面シート２との間まで延在している。この拡散シートによって排尿による水分をインジケータ６へと導くことができる。例えば、繰り返しの排尿によってじわじわと液が吸収体３に吸収される場合、吸収体３の非肌側面まで液が到達するような段階で取り換え時期が近い状態となることがある。そのため、その時点で液を的確に捕捉してインジケータ６を変色させることができれば、尿とりパッド１０の交換時機を時機よく判断することができるので好ましい。
【００４７】
尿とりパッド２０において、吸収体３の非肌面側まで到達した液は、吸収体３の幅方向中心線付近からサイドシート下側平面部４２の液拡散性シート７によって幅方向へと拡散してシート材の接合端ｋ付近まで移動する。この移動した液は、ウィング部５の基底領域ｇ１１の表側シート５１及び裏面シート２との間を通過し、ウィング部５内のインジケータ６に視覚的変化が生じさせる。
【００４８】
前述のインジケータ６への液の優先的な誘導と不要な液拡散の抑制による液の横漏れ防止との両立の観点から、液拡散性シート７が配設される平面視における好ましい範囲として、その縦方向端は、縦方向中心線から前後に５０ｍｍの幅が好ましく、３０ｍｍの幅がさらに好ましい。また、幅方向内側の端部としては、吸収体３の幅方向中央付近まで至ることが、インジケータ６のタイミング良い視覚的変化の観点から好ましい。より具体的には、吸収体３を、最大幅部分を基準として幅方向に３分割した場合の左右１／３の幅の領域よりも幅方向内方に液拡散性シート７の内側端が存在することが好ましい。当該条件は、吸収性物品の股下部Ｃにおいて達成されていることが好ましい。なお、吸収体３の形状が所謂砂時計形状であって、吸収体３の縦方向前後における最大幅を三分割し、股下部Ｃで幅方向左右１／３の領域が存在しないか、一部存在しないことも考えられる。一部存在しない場合には、他の部分で上記条件を満たしていればよく、また、股下部Ｃで全く当該左右１／３の領域が存在しない場合には、腹側部又は背側部において上記条件を満たしていれば良い。さらに、吸収体３の厚み方向に透過される液を的確に捉える観点から、排尿ポイントに対応する位置まで至ることが好ましい。
【００４９】
本実施形態２では、インジケータ６は吸収本体部２０ａまで延在しているが、インジケータ６はウィング部５のみに存在していても構わない。その場合、ウィング部５を折り曲げた状態で液が確実に受け渡しされる観点から、最も吸収本体側に位置するインジケータ６は、接合端ｋ（図７参照）からの距離が２０ｍｍ以内に配されるのが好ましく、特に１０ｍｍ以内、更には２ｍｍ以内に配されるのが好ましい。
【００５０】
尿とりパッド２０において、液拡散性シート７を含むウィング部５及び吸収本体部１０ａの各部材の好ましい配置及び好ましい接合構造は、前述の実施形態１と同様に、領域ｇ１及び領域ｇ２に区分して説明することができる。この点につき図７〜９を参照して以下に説明する。
【００５１】
まず、好ましい部材配置について説明する。領域ｇ２は、吸収体３の側部周辺の領域である。この領域ｇ２、特に領域ｇ２２に液拡散性シート７が吸収体３の非肌当接面側に配されることで、吸収体３の非肌当接面側から幅方外方へ拡散しようとする液をタイミングよく捕捉して、インジケータ６へと誘導することができる。さらに、液拡散性シート７が領域ｇ２２を越え吸収体３の幅方向中央付近まで配されていると、吸収体３の排尿ポイント部分で大量に捕捉した体液のうち、非肌当接面側に到達した液をより早く捕捉できるので好ましい。そのため本実施形態２においては、ウィング部５の標識領域９において（図７及び９参照）、４条の液拡散性シート７が表側シート５１及び裏側シート５２を伴わず、幅方向中央付近まで及ぶ配置とされている。これにより、液拡散性シート７は、吸収体３に直接当接して液を捕捉しやすくなり、また裏面シート２との関係においては、体液が面方向に拡散されやすくなるために一箇所に体液が集中し難くなって裏面シート２から体液が滲み出にくくなり、防漏性を高く維持し易い構成となるので好ましい。あるいはこの実施形態に限らず、表側シート５１を領域ｇ２２まで延出させる場合、的確な液の捕捉ができるよう部分的に孔を多数設けてもよい。この場合、液の拡散をより効果的に抑制するよう調節が可能である。また、ウィング部５の裏側シート５２が領域ｇ２２まで延出させる場合、裏面シート２と一体構成とすることができる。
また、領域ｇ２１は、吸収体３の側縁領域であり、吸収体３のない領域ｇ１と隣接する領域である。そのため、液拡散性シート７によって引き込まれる液を領域ｇ１で不要に拡散させないことが好ましい。本実施形態２においては、ウィング部５の標識領域９において（図７及び９参照）、ウィング部５を構成する撥水性の表側シート５１と液拡散性シート７とが積層配置され、防漏性を保持する構造である。一方、液拡散シート７が配されないウィング部５の液体難拡散性領域８では（図８及び９参照）、撥水性の表側シート５１及び防水性の裏側シート５２のみが疎水性の接合形態で領域ｇ２１に延出しており領域ｇ２２にまでは及んでいない。
【００５２】
領域ｇ１は、吸収体３の側縁より幅方向外側に位置する領域である。この領域ｇ１においては、液の横漏れ防止の観点から、液の移動は極めて限定的なものとされることが好ましい。そのため、領域ｇ１１及び領域ｇ１２のいずれの領域においても、ウィング部５の標識領域９において（図７及び９参照）、液拡散性シート７を撥水性の表側シート５１と防水性の裏側シート５２で挟持し、さらに撥水性のサイドシート４と防水性の裏面シート２とで覆う積層構造であることが好ましい。一方、領域ｇ１における、液拡散シート７が配されないウィング部５の液体難拡散性領域８では（図８及び９参照）、撥水性の表側シート５１及び防水性の裏側シート５２が疎水性の接合形態で配されている。
【００５３】
次に、好ましい接合構造について説明する。本実施形態２においても、ウィング部５と吸収本体部２０ａとの間が、長手方向に沿った接合部によって接合されている。この接合部は、前述の本実施形態１の好ましい接合構造（実施例１及び２）のものを用いて、水分透過可能領域を形成することができる。これにより、ウィング部５の固定性及び液防漏性を維持しつつ、液の取り込み性を確保し得る。
本実施形態２において、図７及び９に示すように、領域ｇ２２からさらに吸収体３の幅方向中央付近に及ぶ標識領域９に合わせて、接合部２００が配設されている。接合部２００には、標識領域９の位置に４つの水分透過可能領域９２が形成されている。厚み方向にみると、ウィング部５の標識領域９において（図７及び９参照）、接合部２０１（液拡散性シート７と吸収体３との接合部）及び接合部２０２（液拡散性シート７と吸収本体部１０ａの裏面シート２との接合部）が水分透過可能領域９２とされている。一方、ウィング部５の液体難拡散性領域８において、ウィング部５の構成部材は配されず、接合部は形成されていない。つまり実施形態２の接合形態は、前述の実施形態１の実施例１及び２を兼ねるものとなる。さらに領域ｇ２１、ｇ１２及びｇ１１における接合部２１０、２２０及び２３０として、前記の実施形態１のものを採用して組み合わせることができる。
【００５４】
（実施形態３）
次に、液拡散性シート７のないウィング部５を備える尿とりパッド２０の部材配置と接合構造について図１０及び１１を参照して説明する。図１０は、本発明のさらに別の実施形態（実施形態３）としての尿とりパッドを展開し伸長した状態を模式的に示す平面図である。図１１は、図１０のＸＩ−ＸＩ線断面の拡大断面図である。なお、図１０において表面シートの外形において破線（隠れ線）による図示は省略し、これに包まれた吸収体３のみを破線で示している。また図１１おいて、吸収体３の被覆シートは省略し示している。本実施形態３の尿とりパッド３０において、ウィング部５は、撥水性の表側シート５１と吸収本体部３０ａの裏面シート２が幅方向（Ｘ方向）外方に延出してなる裏側シート部５２とで構成されている。さらに表側シート５１と裏側シート部５２との間にインジケータ６が直接塗設されており液拡散シート７を有しない。ウィング部５の表側シート５１は、吸収本体部３０ａ側の基底領域ｇ１１の接合端に入り込んで接合されており、インジケータ６は、それより幅方向外方で配設されている。つまりウィング部５は吸収体３とは接触しない配置である。吸収本体部３０ａは、前記実施形態１の撥水性のサイドシート４が吸収体３の幅方向に廻りこみ吸収体３の非肌面側の全面を被覆している。吸収体３と防水性の裏面シート２との間には、幅方向に液を拡散させる液拡散空間７１が配されている。また、撥水性のサイドシート下側平面部４２が吸収体の幅方向中心線付近を部分的に親水化処理等によって液透過性を高めた液易透過領域ｖとし、吸収体３から前記液拡散空間７１への液の通路となる。これにより、吸収体３の非肌面側まで到達した液が、吸収体３の幅方向中心線付近からサイドシート下側平面部４２の液易透過領域ｖを通過し、さらに液拡散空間７１を介して液が空間内で漏れ広がり幅方向へと拡散してシート材の接合端ｋ付近まで移動する。この移動した液は、基底領域ｇ１１の表側シート５１及び裏面シート２との間を通過し、ウィング部５内のインジケータ６に接触する。この液との接触でインジケータ６に視覚的変化が生じる。
【００５５】
尿とりパッド３０において、ウィング部５はウィング基底領域ｇ１１において吸収本体部３０ａに入り込んでいる。そのため両者を固定する接合部３００は、領域１１においてのみ縦方向（Ｙ方向）に配設されている。本実施形態３においては、接合部３００が、実施形態１の実施例１における接合部１００と同じ接合形態とされている。つまり接合部３００のうち、インジケータ６の配置位置の４箇所において水分透過可能領域９３が縦方向（Ｙ方向）に間隔を開けて形成されている。水分透過可能領域９３が、液の取り込み口となって液拡散空間７１からの液をインジケータ６へと誘導することができる。また、接合部３００の水分透過可能領域９３以外の部分で、ウィング部５と吸収本体部３０ａとをしっかりと固定し液の防漏性を高めている。
【００５６】
なお、液易透過領域ｖの形成方法は、孔を多数設けて液透過性を高める方法、撥水性材料に親水化剤（親水性の界面活性剤等）を付与する方法で液透過性を高める方法が挙げられる。本実施形態の尿とりパッド２０は、このようなサイドシート４の配置によって液漏れを抑えつつ液の幅方向への拡散を効果的になすことができる。なお液易透過領域ｖは本実施形態２の形成方法に限定されず、例えば吸収体３の幅方向中心線付近がサイドシート４で被覆されていない形態であってもよく、更に幅方向中心線付近に別の親水性シート材を配するようにしてもよい。
液拡散空間７１は、尿とりパッドが使用前に形成されている必要はなく、製品がパッケージ形態で販売されるような場合に圧縮されて空間が潰れていても、排泄液が到達した際に空間が形成されればよい。また、使用前においては材料間が親水性の固定手段によって固定されており、排泄液と接触することによって材料間の固定が解除されるようになされていてもよい。また液拡散空間７１は、少なくとも股下部Ｃにおいて、液拡散空間７１全体を１つの空隙部とする形状、液拡散空間７１内において幅方向に延びる細長い通路を複数条配設する形状などが挙げられるが、装着時のクロッチ部分の浮き感を抑える観点から前記複数条の幅方向に延在する通路とすることが好ましい。液拡散空間７１の形成方法は、この機能を有すれば特に限定されずに様々な方法を採用でき、例えば前記両シート材の非接着部分を設ける方法であってもよく、押圧して溝を形成する方法、サイドシート下側平面部４２と裏面シート２との間をスパイラル塗工によってホットメルト接着して、接着剤が粗密に塗布されることによる毛細管力を利用した液拡散路とすることもできる。
【００５７】
本実施形態３において、液拡散空間７１の縦方向端は、縦方向中心線から前後に５０ｍｍの幅が好ましく、３０ｍｍの幅がさらに好ましい。本実施形態３において、ウィング部５を折り曲げた状態で液が確実に受け渡しされる観点から、インジケータ６の内側先端６ｂの位置は、接合端ｋからの距離（基底領域ｇ１１の距離）が２０ｍｍ以内であることが好ましく、特に１０ｍｍ以内、更には２ｍｍ以内がさらに好ましい。
【００５８】
（ウィング部５の変形例）
実施形態１〜３いずれのウィング部５においても、インジケータ６及び液拡散性シート７の間欠的な配置は、吸収本体部１０ａ側にあれば、液の効果的な取り込みが効果的になされるので好ましい。そのためウィング部５内の平面配置としては、実施形態１及び２のように帯状のもの４条が等間隔で配置されるものに限定されるものではなく、任意の配置とすることができる。例えば、図１２に示すように、４条のインジケータ６及び液拡散性シート７が放物線上に湾曲した形状など種々採用することができる。
【００５９】
以下本実施形態１〜３の尿とりパッドを構成する部材の素材について説明する。
（液拡散性シート）
液拡散性シート７の形成素材として、通常の親水性シート、具体的にはレーヨン、コットン、パルプなどの親水性繊維等を含むものが挙げられる。拡散シートは幅方向へのクレム吸水高さが２５ｍｍ以上であることが、ウィング部５への体液情報を素早く伝える観点から好ましい。好ましくは、２５ｍｍ〜１００ｍｍ、特に３５ｍｍ〜８０ｍｍであると、インジケータへの体液情報伝達が素早く、かつ正確になされるので好ましい。拡散性を制御する方法としては、シートを構成する親水性繊維に加えて、（１）親水性粒子を含ませること、（２）疎水性繊維を含ませること、が挙げられる。親水性粒子としては、シリカ、酸化チタン、酸化アルミニウム等が挙げられ、特に酸化チタンが好ましい。疎水性繊維を加える場合には、親水性繊維を５０質量％以上、特に６０質量％以上、疎水性繊維を５０質量％未満、特に４０質量％未満の量で含むことができる。疎水性繊維としては例えば各種熱可塑性樹脂からなる繊維を用いることができる。本発明で使用される親水性繊維（不織布）の中には、疎水性の熱可塑性樹脂からなる繊維を各種親水処理した繊維や、疎水性繊維からなる不織布を各種親水化処理した不織布も含まれる。これらの繊維を含む繊維シートとしては、例えばスパンレース不織布、エアスルー不織布、紙などが挙げられる。具体的にはレーヨンとポリオレフィン系繊維とからなるスパンレース不織布が挙げられる。これらの繊維シートの坪量は１５〜５０ｇ／ｍ２、特に１８〜３５ｇ／ｍ２であることが好ましい。
【００６０】
（液拡散性シートのクレム吸水高さの測定方法）
液拡散性シート７２の液拡散性を示すクレム吸水高さの測定は、ＪＩＳ  Ｐ８１４１の紙及び板紙−吸水度試験方法−クレム法に順じて行うことができる。即ち、液拡散性シートを幅２０ｍｍ、長さ２００ｍｍの短冊状に裁断した後、長手方向を鉛直方向にして下端から１５ｍｍの部分までを水に浸し、水に浸してから１０分後に水が何ｍｍ吸い上げられたかを測定する。この測定値をクレム吸水高さとする。
【００６１】
（インジケータ）
インジケータ６をなす親水性組成物に含有される呈色指示薬としては、ｐＨが３〜７で色が変化するものが好ましく、その例としてはブロモフェノールブルー、メチルオレンジ、アリザリンＳ、ブロモクレゾールグリーン、メチルレッド、ブロモクレゾールパープル等が挙げられるが、これらに限定されるものではない。これらの呈色指示薬のうち特に好ましいものとしては、ブロモフェノールブルー、ブロモクレゾールグリーン及びブロモクレゾールパープル等が挙げられる。これらの呈色指示薬は、上記親水性組成物の全量（酸性化合物＋呈色指示薬）に対して好ましくは０．０１〜５０質量％、更に好ましくは０．０１〜４０質量％、一層好ましくは０．０１〜１質量％、最も好ましくは０．０１〜０．５質量％含有される。呈色指示薬の量が０．０１質量％に満たないと変色しても色が薄く、外部から視認しづらくなることがあり、５０質量％を超えると親水性組成物の変色前の色が濃すぎて外観がよくなく、更にコスト高になることがあるので上記範囲内とすることが好ましい。
【００６２】
本発明において、少量の水分や高温・多湿下における排泄尿以外での変色を回避する観点から、親水性組成物に、特許第３５５８８２８号明細書に記載された、該親水性組成物のｐＨを保つことが可能で且つ該親水性組成物が水と接触しただけではそのｐＨが４を超えないように維持することが可能な酸性化合物を含有させ、またウィング部５の裏側シート部５２に、水分に溶解するとアルカリ性を呈する水溶性化合物を含有させることもできる。またインジケータ６をなす親水性組成物は、さらに粘着性を有する親水性ポリマーを含有することもできる。親水性組成物にホットメルト接着性が付与されてウィング部５の表側シート５１と液拡散性シート７１との接合・固定が一層強固なものになると共に、ホットメルト塗工装置があれば、ライン上で塗工可能であり、加工適性が良くなる。即ち、上記酸性化合物、上記呈色指示薬および上記親水性ポリマーを含有してなる親水性組成物は、ホットメルト接着剤として機能する。上記親水性組成物は、上述した成分に加えて酸化防止剤、紫外線吸収剤等を含有していてもよい。これらの成分は、上記親水性組成物の全量に対して０．５〜５質量％含有されることが好ましく、０．５〜３質量％含有されることが更に好ましい。
【００６３】
（表側シート）
ウィング部５の表側シート５１の素材として、液防漏性の観点から、撥水性のものを用いることが好ましい。例えば、撥水性不織布、親水性不織布や紙などの表面にホットメルト接着剤を塗工し液の透過性を下げたシート、オレフィン系フィルム（ＰＥ、ＰＰ）等が挙げられる。また、視認性の観点から、インジケータの色目が視認できる程度に坪量、嵩密度、空隙量を制御したシート（不織布やフィルム、またはこれらの複合体）を用いたり、光透過性が高いシート（例えば、透明性が高いシートや部分的に孔を有するシート等）を用いたりすることができる。
ウィング部５の表側シート５１の形成素材としてフィルムを用いる場合、坪量１０〜４０ｇ／ｍ２の多孔性フィルムを使用すると、変化剤の視覚的変化がおむつ外部から認識し易くなると共に、柔軟な感触が得られるので好ましい。フィルム材としては、例えば、透明フィルムを用いることができる。該透明フィルムとしては、例えば、ポリエチレン、ポリ酢酸ビニル、エチレン−酢酸ビニル共重合体等の熱可塑性樹脂からなる透明フィルム、あるいはこれらの透明フィルムを貼り合わせてなる複合フィルムで、且つ着色剤を含まないものを用いることができる。このフィルム材は透明性の高いフィルムのみで構成してもよいが、表面側シート部に不織布を配するラミネート構成とすると肌触りがよく好ましい。また撥水性の不織布（この場合、好ましくは耐水圧１００ｍｍ以上）のものだけで構成してもよい。ウィング部５の表側シート５１の形成素材として不織布を用いる場合、適度な光透過性が得られる坪量及び／又は厚さのものを用いることが好ましい。該不織布はその坪量が５〜４５ｇ／ｍ２、特に１０〜４０ｇ／ｍ２であることが、視覚的変化の認識性と風合いや手触りなどの官能的な性能とを両立する点から好ましい。不織布としては、例えばポリエチレンやポリプロピレン等のポリオレフィン、ポリエチレンテレフタレート等のポリエステルからなる熱可塑性樹脂単独の繊維や、これらの樹脂の２種以上を用いてなる芯鞘型やサイドバイサイド型の構造を有する複合繊維から構成される不織布等が挙げられる。また不織布としては、その地色の透明度が高く且つ白色度が高いものを用いることが、視覚的変化の認識性が高まるので好ましい。但し不織布シートは、ウィング部５の厚み方向に関して、インジケータを配した領域との重なり部分において、当該重なり部分の大部分が白色であれば良く、当該重なり部分以外の領域に、インジケータ６の視覚的変化の認識性を妨げない範囲で印刷を施しても構わない。
【００６４】
（ウィング部５の表側シート５１の透明度の測定方法）
ウィング部５の表側シート５１の透明度を示す指標は、前述のとおり不透明度の数値で示すことができる。この不透明度は、例えば日本電色工業（株）製の分光色差計（ＳＥ−２０００、６０００等）を用いて前記ＪＩＳ  Ｐ８１３８のＡ法あるいはＢ法に準じて測定し、次式により算出することができる。
不透明度（％）Ｃ＝（Ｒ０／Ｒ０．８９）×１００
Ｒ０：裏当て黒色板を用いたときの試料の反射率
Ｒ０．８９：裏当て白色板を用いたときの試料の反射率
【００６５】
（裏側シート・裏面シート）
裏側シート５２及び裏面シート２の形成材料としては、防水性があれば特に限定されない。また併せてムレ防止観点から透湿性を有していることが好ましい。例えば疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。前記熱可塑性樹脂としては、ポリオレフィンが挙げられる。該ポリオレフィンとしては、高〜低密度ポリエチレン、線状低密度ポリエチレン、ポリプロピレン、ポリブテン等が挙げられ、これらを単独で又は混合して用いることができる。さらに裏側シート５２において、インジケータ６の視認性を向上させるよう適切な素材を採用することが好ましい。例えば、シート材の坪量を１５〜７０ｇ／ｍ２とすることが好ましく、２５〜５０ｇ／ｍ２とすることがさらに好ましい。シート材の配色としては、透明なものであっても有色系であってもよいが、下着等の被装着物品の色（特に年配女性が下着の色として好むベージュ等の有色系）によってインジケータの色（特に、変色後の色）が視認しにくくなることを避ける観点から、淡色系、特に薄い灰色や白色であることが好ましい。裏側シート部５２にこのような配色のシート材を採用する場合には、少なくともインジケータ６と重なる領域において配置されていればよい。なお本実施形態において、裏側シート部５２は裏面シート２とは別部材であるが、裏側シート５２が裏面シート２の延出した部分として形成されてもよい。
【００６６】
（耐水圧の測定）
裏側シート５２及び裏面シート２の防水性を示す耐水圧の測定は、特に断らない限り、ＪＩＳ  Ｌ１０９２繊維製品の防水性試験方法に準じて行う。ＪＩＳに示された耐水度試験（静水圧法、Ａ法）は主に通気性のない繊維製品に適用されるものとして定められており、通気性のある製品に適用する場合はスプレー法を適用する。しかし、吸収性物品の場合、実使用時を想定するとスプレー状に液体の負荷がかかる場合は想定されにくく、むしろ耐水度試験の条件に即していると考えられる。
【００６７】
（透湿性の測定）
シート材の透湿性の測定は、特に断らない限り、ＪＩＳ  Ｚ０２０８防湿包装材料の透湿試験方法に準じ、温度条件は３５℃として行う。
具体的には、まず透湿カップ内に吸湿剤（塩化カルシウム）を入れ、この透湿カップの口に直径７０ｍｍに裁断した試験片をのせて、パッキン及びリングを蝶ナットで固定した後、透湿カップと試料の接合部をビニル粘着テープでシールして試験体とする。この試験体を３５±２℃、９０±５％ＲＨの恒温恒湿装置内に所定時間放置する。１時間後に試験体を取り出し、質量を測定し、測定後再び恒温恒湿装置内に置き、４時間後に取り出して質量を測定し、次式により、透湿度を、シート（１ｍ2当たり）を通過した水蒸気の質量（ｇ）として求める。なお、前述の透湿度の好ましい数値範囲は、１ｇ／１００ｃｍ２・ｈ＝２４００ｇ／ｍ２・２４ｈとして示す。
透湿度（ｇ／ｍ２・２４ｈ）＝（２４０×ｍ）／（ｔ・ｓ）
ｓ：透湿面積（ｃｍ２）
ｔ：試験を行った最後の２つのひょう量間隔の時間の合計（ｈ）
ｍ：試験を行った最後の２つのひょう量間隔・増加質量の合計（ｍｇ）
【００６８】
［粘着剤］
また、裏側シート５２の非肌側面に配設された粘着剤５３は、この種の物品に用いられるものを採用することができるが、インジケータ６の視認性向上の観点から適切な素材を採用することができる。例えば、粘着剤５３の色が、インジケータ６の変色後の色よりも淡色か透明であることが好ましい。淡色の粘着剤５３とするには、透明の被膜を形成するホットメルト粘着剤等を塗布することにより形成することができる。透明の粘着剤５３の形成材料となる粘着剤としては、例えば、スチレン−ブタジエン−スチレン（ＳＢＳ）系、スチレン−エチレン−ブタジエン−スチレン（ＳＥＢＳ）系、オレフィン系ホットメルト等を用いることができる。粘着剤５３における粘着剤の塗布量は、１０〜７０ｇ／ｍ２が好ましい。
【００６９】
［その他の素材］
表面シート１、サイドシート４及び吸収体３の形成材料としては、通常吸収性物品に使用されているものを用いることができる。
表面シート１としては、親水性不織布が好ましく、エアスルー不織布、ポイントボンド不織布、スパンボンド不織布、スパンレース不織布、立体賦形不織布と呼ばれている不織布で、その繊維がポリプロピレンの単繊維や、ポリプロピレンとポリエチレンの複合繊維、ポリエチレンテレフタレートとポリエチレンの複合繊維等で親水化処理が施された繊維が好ましく、その坪量１５〜５０ｇ／ｍ２のものが好適に使用できる。また、表面シート１の股下部分には、表面シート１の非肌面側に親水性穴開きフィルムや親水性不織布が部分的に重ねられていてもよい。
サイドシート４としては、撥水性不織布が好ましく、具体的には、スパンボンド不織布、スパンボンド−メルトブローン（ＳＭ）不織布、スパンボンド−メルトブローン−スパンボンド（ＳＭＳ）不織布等が用いられる。サイドシート４の立体ギャザー用弾性部材４２としては、この種の物品に用いられる通常の弾性部材を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、或いはマルチフィラメントタイプの糸状のもの等を用いることができる。
【００７０】
吸収体３の形成材料としては、通常吸収性物品に用いられるものを用いることができる。具体的には例えば、吸収性コアとしては、繊維集合体又はこれと高分子吸水ポリマーとを併用させたもの等を用いることができる。繊維集合体を構成する繊維としては、パルプ繊維等の親水性天然繊維や、合成繊維（好ましくは親水化処理を施したもの）等を用いることができる。坪量は特に限定されないが、１５０ｇ／ｍ２〜５００ｇ／ｍ２が好ましい。また吸収性コアを被覆する被覆シートとしては、親水性のティッシュペーパー等の薄手の紙（薄葉紙）、親水性の不織布（ＳＭＳ、ＳＭＭＳ、ＳＳＭＳ等の複合不織布）からなるものを用いることができる。
【００７１】
以上、具体的な実施形態として張出し部がウィング形状の場合について述べた。ウィング形状の張出し部（ウィング部）はおむつや下着、パッドホルダー等の外側着用物品の外側への露出性が高いため視認性が良好であるとの観点や、尿とりパッドとしてはおむつやパッドホルダー等の外側着用物品への固定性の観点から好ましい。一方、本発明において「張出し部」はウィング形状に限定されず、例えば、吸収本体部から幅方向外方へ突出する１本または複数本のストリップ形状であってもよいし、縦方向に延びる複数の襞形状であってもよい。「張出し部」は、通常外側（非肌面側）に着用されて併用されるおむつや下着、パッドホルダー等の外側着用物品の内側に位置する吸収本体部に対して外側へ露出可能になされた部分であることが好ましい。但し、外側着用物品が、その脚周り部を着用者の大腿部にまで延ばす、いわゆるボクサーブリーフタイプであるような場合には、張出し部が外側着用物品の大腿部当接部分に折り返し可能にまで延びる形態であれば、外側着用物品の脚開口部を捲ることでインジケータの視覚的変化が確認できるので、張出し部が外側着用物品の外側に露出することは必要ではない。また、上記実施形態では張出し部が物品の股下部Ｃにおける縦方向中央部に配されていたが、腹側部寄り又は背側部寄りに偏倚していてもよい。更に、張出し部は腹側部Ｆや背側部Ｒに設けられていてもよい。
【００７２】
本発明の吸収性物品は、上記実施形態に限定されるものではなく、実施形態１及び２の標識領域９を組み合わせたものであってもよく、液が吸収体から液拡散機構を経由してインジケータを変化させるものであれば実施形態１及び２で用いられる部材を適宜入れ替え組み合わせたものであってもよい。本発明の吸収体物品は、上記実施形態における尿とりパッドに限らず、乳幼児用あるいは大人用の展開型使い捨ておむつやパンツ型使い捨ておむつであってもよく、また生理用ナプキン、パンティライナーや軽失禁パッドであってもよい。
【符号の説明】
【００７３】
１  表面シート
２  裏面シート
３  吸収体
４  サイドシート
５  ウィング部
５１  表側シート
５２  裏側シート
５３  粘着剤
５ｔ  ウィング基端位置
６  インジケータ
７  液拡散性シート
８  液体難拡散性領域
９  標識領域
９１，９２，９３  水分透過可能領域
１０，２０  尿とりパッド
【図１】
0005816036.tif 000002
【図２】
0005816036.tif 000003
【図３】
0005816036.tif 000004
【図４】
0005816036.tif 000005
【図５】
0005816036.tif 000006
【図６】
0005816036.tif 000007
【図７】
0005816036.tif 000008
【図８】
0005816036.tif 000009
【図９】
0005816036.tif 000010
【図１０】
0005816036.tif 000011
【図１１】
0005816036.tif 000012
【図１２】
0005816036.tif 000013